(57)【要約】【課題】ユーザが迷惑電話を防止するため着信拒否電話番号の登録とその解除を容易に行えるようにする。【解決手段】通話対象の電話番号を登録しておくための電話帳リストおよび呼出時間が閾値以下の着信呼を着信拒否対象の電話番号を登録しておくための着信拒否リストを自携帯電話端末のＲＯＭ８内に備える。電話帳登録部３１はユーザ操作に基づき電話番号を電話帳リストに登録する。着信拒否リスト比較照合部３２は、電話帳登録部３１が登録した電話番号あるいは受信した発信者の電話番号が着信拒否リストに存在するか否かを判定する。着信拒否リスト削除部３３は、電話帳リストに所望の電話番号を登録するとき着信拒否リスト比較照合部３２によってこの電話番号が着信拒否リストに存在すると判定された場合に当該の電話番号をこの着信拒否リストから削除する。【選択図】      図１
2005057517.tif 000002
【特許請求の範囲】
【請求項１】
通話対象の電話番号を登録しておくための電話帳リストおよび着信拒否対象の電話番号を登録しておくための着信拒否リストを自端末の記憶手段内に有する携帯電話端末であって、ユーザによる前記電話帳リストへの登録時にこの登録する電話番号が前記着信拒否リストに存在する場合には当該電話番号を前記着信拒否リストから削除する制御手段を備えることを特徴とする携帯電話端末。
【請求項２】
回線網を介し電話交換機に接続し受信した発信者電話番号が着信拒否対象の電話番号であった場合には前記電話交換機に対し着信拒否動作を指示するサーバであって、請求項１記載の携帯電話端末で電話帳リストに登録時に前記回線網を介し起動され、ユーザの電話番号登録操作に基づいて前記携帯電話端末から送信される着信拒否番号削除のための識別情報および電話番号を受信しサーバ側に有する着信拒否対象の電話番号を登録しておくための着信拒否リストから当該の電話番号を削除する制御手段を備えることを特徴とするサーバ。
【請求項３】
前記制御手段は、ユーザ操作に基づき電話番号を前記電話帳リストに登録する電話帳登録部と、前記電話帳登録部が登録した電話番号あるいは受信した発信者の電話番号が前記着信拒否リストに存在するか否かを判定する着信拒否リスト比較照合部と、前記電話帳リストに所望の電話番号を登録するとき前記着信拒否リスト比較照合部によってこの電話番号が前記着信拒否リストに存在すると判定された場合に当該の電話番号をこの着信拒否リストから削除する着信拒否リスト削除部とを備えることを特徴とする請求項１記載の携帯電話端末。
【請求項４】
前記制御手段は、呼出時間が閾値以下の着信呼を着信拒否対象と判定する呼出時間判定部と、前記呼出時間判定部によって着信拒否対象と判定し且つ前記電話帳リストに当該の発信者電話番号が登録されていない場合その電話番号を着信拒否リストに登録する着信拒否リスト登録部とを備えることを特徴とする請求項１または３記載の携帯電話端末。
【請求項５】
発信者の電話番号を受信し自端末の記憶手段内に設けた着信拒否対象の電話番号を登録しておくための着信拒否リストを参照して着信拒否を行う中央制御部を有する携帯電話端末であって、ユーザ操作に基づき電話番号を前記電話帳リストに登録する電話帳登録部と、前記電話帳登録部が登録した電話番号あるいは受信した発信者の電話番号が前記着信拒否リストに存在するか否かを判定する着信拒否リスト比較照合部と、前記電話帳リストに所望の電話番号を登録するとき前記着信拒否リスト比較照合部によってこの電話番号が前記着信拒否リストに存在すると判定された場合に当該の電話番号をこの着信拒否リストから削除する着信拒否リスト削除部と、自携帯電話端末への着信を検出する着信検出部と、前記着信検出部での着信検出後に受信した情報の中から発信者の電話番号を識別する発信者番号識別部と、呼出時間が閾値以下の着信呼を着信拒否対象と判定する呼出時間判定部と、前記呼出時間判定部によって着信拒否対象と判定し且つ前記電話帳リストに当該の発信者電話番号が登録されていない場合その電話番号を着信拒否リストに登録する着信拒否リスト登録部と、着信拒否した場合これを登録したことあるいは通常の着信履歴を発信者の電話番号に対応して登録する着信履歴登録部とを備えることを特徴とする携帯電話端末。
【請求項６】
通話対象の電話番号を登録しておくための電話帳リストおよび着信拒否対象の電話番号を登録しておくための着信拒否リストを自端末の記憶手段内に有する携帯電話端末における着信拒否番号削除方法であって、ユーザ操作に基づき電話番号を前記電話帳リストに登録するステップと、この登録時に前記電話番号が前記着信拒否リストに存在するか否かを判定するステップと、この判定結果、前記電話番号が前記着信拒否リストに存在した場合、前記電話帳リストから当該の電話番号を削除するステップとを有することを特徴とする携帯電話端末における着信拒否番号削除方法。
【請求項７】
回線網を介し電話交換機に接続してサーバ側に設けた着信拒否対象の電話番号を登録しておくための着信拒否リストを参照し当該発信者の電話番号に係わる着信拒否動作を前記電話交換機に指示するサーバにおける着信拒否番号削除方法であって、ユーザの電話番号登録操作に基づいて携帯電話端末から送信される着信拒否削除のための識別情報および当該の電話番号を受信するステップと、この受信した電話番号を前記着信拒否リストから削除するステップとを有することを特徴とするサーバにおける着信拒否番号削除方法。
【請求項８】
前記着信拒否リストは呼出時間が閾値以下の着信呼を元に登録したリストであることを特徴とする請求項６記載の携帯電話端末における着信拒否番号削除方法。
【請求項９】
前記着信拒否リストは呼出時間が閾値以下の着信呼を元に登録したリストであることを特徴とする請求項７記載のサーバにおける着信拒否番号削除方法。
【請求項１０】
通話対象の電話番号を登録しておくための電話帳リストおよび着信拒否対象の電話番号を登録しておくための着信拒否リストを自端末の記憶手段内に有する携帯電話端末における着信拒否番号削除処理を行うためのプログラムであって、ユーザ操作に基づき電話番号を前記電話帳リストに登録する処理と、この登録時に前記電話番号が前記着信拒否リストに存在するか否かを判定する処理と、この判定結果、前記電話番号が前記着信拒否リストに存在した場合、前記電話帳リストから当該の電話番号を削除する処理とをコンピュータに実行させるためのプログラム。
【請求項１１】
回線網を介し電話交換機に接続してサーバ側に設けた着信拒否対象の電話番号を登録しておくための着信拒否リストを参照し当該発信者の電話番号に係わる着信拒否動作を前記電話交換機に指示するサーバにおける着信拒否番号削除処理を行うためのプログラムであって、ユーザの電話番号登録操作に基づいて携帯電話端末から送信される着信拒否削除のための識別情報および当該の電話番号を受信する処理と、この受信した電話番号を前記着信拒否リストから削除する処理とをコンピュータに実行させるためのプログラム。
【発明の詳細な説明】
【技術分野】
【０００１】
本発明は電話端末および電話交換機に接続されるサーバに関し、特に携帯電話端末あるいはサーバにおける着信拒否番号の登録機能と削除機能に関する。
【背景技術】
【０００２】
従来、ユーザが着信を希望しない、いわゆる迷惑電話に関して、現在電話サービス会社による着信拒否サービス等の対処方法が存在し、また電話端末にも指定した電話番号からの着信呼に対して着信拒否機能を有するものがある。いたずら電話を拒否するための着信動作制御方法として、例えば、特許文献１に記載されている着信動作制御方法が知られている。図６は、この特許文献１に記載されている着信動作制御方法の処理フローを示す図である。同図に示す着信動作の制御方法の概要は以下のとおりである。この従来例では、発信者からの着信に対する着信時の動作を指定する動作指定登録メモリを使用して、着信時に受信された発信番号で動作指定登録メモリの内容を参照し、当該発信番号に対し指定された着信動作を行うように電話機を制御するものである。発信番号に応じて、着信音を送出しないようにする動作１、自動応答する動作２および自動切断して着信動作を拒否する動作３の何れかを行うように動作指定登録メモリに登録する。
【０００３】
始めに、相手電話機からの着信を検出すると（ステップ１：Ｓ１と呼称、以下同様）、発信情報として発信番号（発番）を受信し（Ｓ２）、この発信番号が着信を拒否する着信拒否対象としてメモリに登録されているか否かを確認する（Ｓ３）。すでに着信拒否対象としてメモリに登録されている場合には、その発信番号に対して設定されている着信動作の種別として、着信音を送出しないようにする動作１（Ｓ８）、自動応答する動作２（Ｓ１０）、自動切断して着信動作を拒否する動作３（Ｓ１２）の何れであるかを判定し、それぞれの着信動作として無音、自動応答、オフフック後直ちにオンフックの何れかの動作を実行する（Ｓ９、Ｓ１１、Ｓ１３）。発信番号が登録されていない場合で通話終了時に操作入力によるいたずら電話回避用の特定コードを受信したときには（Ｓ５）、この未登録の発信番号を動作指定登録メモリに転送し（Ｓ６）、この発信番号に対して着信動作の種別を新たに登録設定する（Ｓ７）。
【０００４】
また、着信者への通信内容から、着信者が当該の発信端末からの着信を希望しない場合、その通信の終了後、次の着信の前に着信者が電話網内の所定の番号にアクセスし、電話網側で当該着信者に関し、発信者識別情報により当該発信端末から当該着信端末への着信をさせない着信拒否を登録し、この着信拒否を登録後一定時間が経過したら解除することにより、着信拒否を着信端末で個別に対応せず交換機側で行う技術が開示されている（例えば、特許文献２参照）。
【０００５】
【特許文献１】特開平１０−４２０３６号公報（段落番号０００５および図１）
【０００６】
【特許文献２】特開平７−６６８６８号公報（請求項１および図１）
【発明の開示】
【発明が解決しようとする課題】
【０００７】
上述した従来の着信拒否サービスを利用するためには、予め迷惑電話を発信する発信者の電話番号を手動で着信拒否登録しなければならない煩雑さがあった。また、ユーザが着信拒否対象の電話番号を削除する場合、上述したように一定時間後に自動削除する方法では、いつまた同一の発信者から迷惑電話がかかってくるか分からず、固定的に時間を決めるのは、いろいろな状況が想定され無理がある。さらに、任意な時間で削除する場合、この着信拒否番号削除のための専用の手順を実施しなければならずユーザにとり面倒である。
【０００８】
本発明の目的は、ユーザにとり迷惑電話を防止するため着信拒否電話番号の登録およびその解除が容易に可能な携帯電話端末，サーバおよびその着信拒否番号削除方法ならびにプログラムを提供することにある。
【課題を解決するための手段】
【０００９】
請求項１に記載の本発明は、通話対象の電話番号を登録しておくための電話帳リストおよび着信拒否対象の電話番号を登録しておくための着信拒否リストを自端末の記憶手段内に有する携帯電話端末であって、ユーザによる前記電話帳リストへの登録時にこの登録する電話番号が前記着信拒否リストに存在する場合には当該電話番号を前記着信拒否リストから削除する制御手段を備える。
【００１０】
請求項２に記載の本発明は、回線網を介し電話交換機に接続し受信した発信者電話番号が着信拒否対象の電話番号であった場合には前記電話交換機に対し着信拒否動作を指示するサーバであって、請求項１記載の携帯電話端末で電話帳リストに登録時に前記回線網を介し起動され、ユーザの電話番号登録操作に基づいて前記携帯電話端末から送信される着信拒否番号削除のための識別情報および電話番号を受信しサーバ側に有する着信拒否対象の電話番号を登録しておくための着信拒否リストから当該の電話番号を削除する制御手段を備える。
【００１１】
請求項３に記載の本発明は、請求項１において、前記制御手段は、ユーザ操作に基づき電話番号を前記電話帳リストに登録する電話帳登録部と、前記電話帳登録部が登録した電話番号あるいは受信した発信者の電話番号が前記着信拒否リストに存在するか否かを判定する着信拒否リスト比較照合部と、前記電話帳リストに所望の電話番号を登録するとき前記着信拒否リスト比較照合部によってこの電話番号が前記着信拒否リストに存在すると判定された場合に当該の電話番号をこの着信拒否リストから削除する着信拒否リスト削除部とを備える。
【００１２】
請求項４に記載の本発明は、請求項１または３において、前記制御手段は、呼出時間が閾値以下の着信呼を着信拒否対象と判定する呼出時間判定部と、前記呼出時間判定部によって着信拒否対象と判定し且つ前記電話帳リストに当該の発信者電話番号が登録されていない場合その電話番号を着信拒否リストに登録する着信拒否リスト登録部とを備える。
【００１３】
請求項５に記載の本発明は、発信者の電話番号を受信し自端末の記憶手段内に設けた着信拒否対象の電話番号を登録しておくための着信拒否リストを参照して着信拒否を行う中央制御部を有する携帯電話端末であって、ユーザ操作に基づき電話番号を前記電話帳リストに登録する電話帳登録部と、前記電話帳登録部が登録した電話番号あるいは受信した発信者の電話番号が前記着信拒否リストに存在するか否かを判定する着信拒否リスト比較照合部と、前記電話帳リストに所望の電話番号を登録するとき前記着信拒否リスト比較照合部によってこの電話番号が前記着信拒否リストに存在すると判定された場合に当該の電話番号をこの着信拒否リストから削除する着信拒否リスト削除部と、自携帯電話端末への着信を検出する着信検出部と、前記着信検出部での着信検出後に受信した情報の中から発信者の電話番号を識別する発信者番号識別部と、呼出時間が閾値以下の着信呼を着信拒否対象と判定する呼出時間判定部と、前記呼出時間判定部によって着信拒否対象と判定し且つ前記電話帳リストに当該の発信者電話番号が登録されていない場合その電話番号を着信拒否リストに登録する着信拒否リスト登録部と、着信拒否した場合これを登録したことあるいは通常の着信履歴を発信者の電話番号に対応して登録する着信履歴登録部とを備える。
【００１４】
請求項６に記載の本発明は、通話対象の電話番号を登録しておくための電話帳リストおよび着信拒否対象の電話番号を登録しておくための着信拒否リストを自端末の記憶手段内に有する携帯電話端末における着信拒否番号削除方法であって、ユーザ操作に基づき電話番号を前記電話帳リストに登録するステップと、この登録時に前記電話番号が前記着信拒否リストに存在するか否かを判定するステップと、この判定結果、前記電話番号が前記着信拒否リストに存在した場合、前記電話帳リストから当該の電話番号を削除するステップとを有する。
【００１５】
請求項７に記載の本発明は、回線網を介し電話交換機に接続してサーバ側に設けた着信拒否対象の電話番号を登録しておくための着信拒否リストを参照し当該発信者の電話番号に係わる着信拒否動作を前記電話交換機に指示するサーバにおける着信拒否番号削除方法であって、ユーザの電話番号登録操作に基づいて携帯電話端末から送信される着信拒否削除のための識別情報および当該の電話番号を受信するステップと、この受信した電話番号を前記着信拒否リストから削除するステップとを有する。
【００１６】
請求項８に記載の本発明は、請求項６において、前記着信拒否リストは呼出時間が閾値以下の着信呼を元に登録したリストである。
【００１７】
請求項９に記載の本発明は、請求項７において、前記着信拒否リストは呼出時間が閾値以下の着信呼を元に登録したリストである。
【００１８】
請求項１０に記載の本発明は、通話対象の電話番号を登録しておくための電話帳リストおよび着信拒否対象の電話番号を登録しておくための着信拒否リストを自端末の記憶手段内に有する携帯電話端末における着信拒否番号削除処理を行うためのプログラムであって、ユーザ操作に基づき電話番号を前記電話帳リストに登録する処理と、この登録時に前記電話番号が前記着信拒否リストに存在するか否かを判定する処理と、この判定結果、前記電話番号が前記着信拒否リストに存在した場合、前記電話帳リストから当該の電話番号を削除する処理とをコンピュータに実行させる。
【００１９】
請求項１１に記載の本発明は、回線網を介し電話交換機に接続してサーバ側に設けた着信拒否対象の電話番号を登録しておくための着信拒否リストを参照し当該発信者の電話番号に係わる着信拒否動作を前記電話交換機に指示するサーバにおける着信拒否番号削除処理を行うためのプログラムであって、ユーザの電話番号登録操作に基づいて携帯電話端末から送信される着信拒否削除のための識別情報および当該の電話番号を受信する処理と、この受信した電話番号を前記着信拒否リストから削除する処理とをコンピュータに実行させる。
【発明の効果】
【００２０】
本発明によれば、きわめて短い時間の呼び出しについては自動的に着信拒否リストに登録することにより、ユーザが着信拒否リストに電話番号を登録するという操作を省略することが可能となる。また、きわめて短い時間の呼び出しについては自動的に公衆回線に接続されたサーバにある着信拒否リストに登録することにより、この着信拒否リストに電話番号を登録するという新たなユーザ操作を省略することに加えて、このリストを共有できるので他者にかかってきた迷惑電話の番号に対しても着信拒否を行うことが可能となる。さらに、ユーザが電話帳リストに電話番号を登録するときに、この電話番号が着信拒否リストに存在する場合には自動的に削除するので、ユーザにとって使い勝手がより良くなる。
【発明を実施するための最良の形態】
【００２１】
次に、本発明の実施の形態について図面を参照して説明する。図１（ａ）には本発明の第１の実施の形態としてカラー液晶（Ｌｉｑｕｉｄ  Ｃｒｙｓｔａｌ  Ｄｉｓｐｌａｙ：ＬＣＤ）を表示部として持つ代表的な電話端末である携帯電話端末の構成が示されている。図１を参照すると、携帯電話端末は、アンテナ１、送受信部２、中央制御部３、入力部４、マイク５、スピーカ６、Ｒａｎｄｏｍ  Ａｃｃｅｓｓ  Ｍｅｍｏｒｙ（ＲＡＭ）７、Ｒｅａｄ  Ｏｎｌｙ  Ｍｅｍｏｒｙ（ＲＯＭ）８、ＬＣＤドライバ９、ＬＣＤ１０、タイマ１１を備える。送受信部２は、アンテナ１を介し図示せぬ携帯電話用の基地局に対し無線信号の送受信を行う。送受信部２はマイコンを内蔵する中央制御部３によって制御され、中央制御部３には、電話をかけるときにユーザが操作する入力部４、送受話を行うためのマイク５とスピーカ６とがそれぞれ接続される。中央制御部３には、さらに、携帯電話端末の各部動作を制御するためのプログラムや文字フォントが格納されたＲＯＭ８、ならびにＲＯＭ８に格納されたプログラムを動作させ、あるいは基地局から送られてくる情報を格納するＲＡＭ７にも接続される。中央制御部３は、さらに、ＬＣＤドライバ９に表示情報を送出して所望のデータをＬＣＤ１０に表示させる制御も行う。タイマ１１は閾値ｔ１を計数するために用いられる。
【００２２】
図１（ｂ）は（ａ）における中央制御部の本発明に係わる部分を示すブロック図である。中央制御部３は、電話帳登録部３１と、着信拒否リスト比較照合部３２と、着信拒否リスト削除部３３と、着信検出部３４と、発信者番号識別部３５と、呼出時間判定部３６と、着信拒否リスト登録部３７と、着信履歴登録部３８とを備える。中央制御部３は、発信者の電話番号を受信し自端末のＲＯＭ８内に設けた着信拒否対象の電話番号を登録しておくための着信拒否リストを参照して着信拒否を行うもので、ＲＯＭ８に予め格納したプログラムによって動作するコンピュータに相当する。なお、ＲＯＭ８は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）が用いられ、通話対象の電話番号を登録しておくための電話帳リストおよび着信拒否対象の電話番号を登録しておくための着信拒否リストを有する。
【００２３】
電話帳登録部３１はユーザ操作に基づき電話番号を電話帳リストに登録する。着信拒否リスト比較照合部３２は、電話帳登録部３１が登録した電話番号あるいは受信した発信者の電話番号が着信拒否リストに存在するか否かを判定する。着信拒否リスト削除部３３は、電話帳リストに所望の電話番号を登録するとき着信拒否リスト比較照合部３２によってこの電話番号が着信拒否リストに存在すると判定された場合に当該の電話番号をこの着信拒否リストから削除する。着信検出部３４は自携帯電話端末への着信を検出する。発信者番号識別部３５は、着信検出部３４での着信検出後に受信した情報の中から発信者の電話番号を識別する。呼出時間判定部３６は呼出時間が閾値以下の着信呼を着信拒否対象と判定する。着信拒否リスト登録部３７は、呼出時間判定部３６によって着信拒否対象と判定し且つ電話帳リストに当該の発信者電話番号が登録されていない場合その電話番号を着信拒否リストに登録する。着信履歴登録部３８は、着信拒否した場合これを登録したことあるいは通常の着信履歴を発信者の電話番号に対応して登録する。
【００２４】
次に、第１の実施の形態の動作について、図２に示すフローチャートを参照して説明する。まず、中央制御部３（図１）が着信を検出し（ステップ２０１：Ｓ２０１と呼称、以下同様）、受信データに発信者通知があるかどうか判断する（Ｓ２０２）。発信番号が含まれていれば、当該電話番号がＲＯＭ１０に記憶されている着信拒否リストに含まれているかどうかを判断し（Ｓ２０３）、一致する番号が含まれている場合は着信拒否対応を行い（Ｓ２１０）処理を終了する。Ｓ２０２にて発信番号が含まれていない場合、Ｓ２０３にて着信拒否リストにない場合、着信の呼出切断を受ける状態まで待つ（Ｓ２０４）。着信終了時にこの呼出時間の判断を行い（Ｓ２０５）、きわめて短い呼出時間、いわゆるワン切りに対応可能なように、呼出時間が閾値ｔ１以上の時間のときは通常処理を行い、閾値ｔ１以下のときは迷惑電話と判断する処理を行う。
【００２５】
ここで閾値ｔ１はユーザにて設定可能とする。呼出時間がｔ１以下のときは、電話帳リストにすでに登録されている電話番号かどうかを判断する（Ｓ２０６）。電話帳リストにすでに登録している電話番号でない場合は、迷惑電話と判断しＲＯＭ８（図１）内にある着信拒否リストに自動で登録する（Ｓ２０７）。その後に着信履歴に着信拒否リストに登録したことも含めて記録する。Ｓ２０５にて呼出時間がｔ１以上のとき、Ｓ２０６にて電話帳リストに既登録の番号である場合には、通常処理を行い着信履歴に登録して（Ｓ２０９）処理を終了する。上述した動作により、着信呼出時間がきわめて短い電話番号について、自動的に着信拒否リストに登録することが可能となる。
【００２６】
次に、着信拒否リストからの電話番号削除方法を、図３に示すフローチャートを参照して説明する。まず、ユーザの操作に基づき入力部４（図１）から電話帳リストに電話番号の登録を行う（Ｓ３０１）。次に、中央制御部３（図１）はこの登録した電話番号が着信拒否リストに存在するか否かを比較照合する（Ｓ３０２）。ここで着信拒否リストにあるか否かを判断し（Ｓ３０３）、リストに記載されていれば、直ちに着信拒否リストから削除する（Ｓ３０４）。Ｓ３０３にて着信拒否リストに存在しなければ、そのまま処理を終了する。このように、電話帳リストに登録を行いそれが確定した電話番号は、着信拒否リストから削除する。したがって、電話帳に登録した電話番号は必ずその登録時に、着信拒否リストに存在する場合には自動削除するので、ユーザは新たな削除操作をする必要がない。
【００２７】
次に、本発明の第２の実施の形態として、着信拒否リストを携帯電話端末内のＲＯＭ８に記載する代わりに、公衆回線に接続されたサーバに記載することにより、携帯電話端末が着信を受ける前に直ちに回線を切断するように構成することもできる。図４は本発明の第２の実施形態による構成図である。図４において、携帯電話端末４０１は、例えば、基地局４０２の無線通信範囲、すなわち通信エリアに存在（在圏）している。ここで、例えば、基地局４０２，４０３は交換制御部４０４に接続され、基地局４０６と固定電話端末４０７は交換制御部４０８に接続されているものとする。交換制御部４０４および交換制御部４０８は、公衆回線網４０９で接続されており、各々接続されている基地局４０２，４０３，４０６の通信範囲内に在圏している携帯電話端末４０１，４０５や固定電話端末４０７からの発呼要求に対する回線の接続処理，および着呼先の携帯電話端末と発呼先の携帯電話端末との回線の接続処理、すなわち、各基地局に在圏している携帯電話端末に対してデータの送受信における送信先の制御を行う。データベース４１１はサーバ４１０に接続され、このデータベース４１１には着信拒否電話リストを含むデータが、携帯電話端末４０１，４０５など各々の電話番号に対応して蓄積されている。サーバ４１０の中央制御部（図示せず）は、電話網，インターネット，ＩＳＤＮなどの情報通信網から構成される公衆回線網４０９に接続され、データベース４１１のデータの入出力の管理、すなわちデータベース４１１のデータ蓄積の制御を行う。また、サーバ４１０は、携帯電話端末４０７から送信される着信拒否電話番号データをデータベース４１１に格納（記憶）する。サーバ４１０に接続されたデータベース４１１の着信拒否電話リストは、個々でこのリストを所有しても良いし、多数のユーザで共有する設定にすることにしてもよい。
【００２８】
次に、図４に示す第２の実施の形態の動作について、図５に示すフローチャートを参照して説明する。まず、携帯電話端末の中央制御部３（図１）が着信を検出し（Ｓ５０１）、受信したデータ内に着信者通知があるかどうかを判断する（Ｓ５０２）。この発信番号が含まれていれば、当該電話番号がＲＯＭ１０（図１）に記憶されている着信拒否リストに含まれているかどうかを判断し（Ｓ５０３）、一致する番号が含まれている場合は着信拒否対応を行い（Ｓ５１０）処理を終了する。Ｓ５０２にて発信番号が含まれていない場合、Ｓ５０３にて着信拒否リストにない場合、着信の呼出切断を受ける状態まで待つ（Ｓ５０４）。そして着信終了時に呼出時間の判断を行い（Ｓ５０５）、閾値ｔ１以上の時間のときは通常処理を行い、閾値ｔ１以下のときは迷惑電話と判断する処理を行う。ここで閾値ｔ１はユーザにて設定が可能とする。呼出時間がｔ１以下のときは、電話帳リストにすでに登録されている電話番号かどうかを判断する（Ｓ５０６）。電話帳リストにすでに登録している電話番号でない場合は、迷惑電話と判断し、番号登録するための識別情報を付加して携帯電話端末から発信して、サーバ４１０（図４）を起動しサーバ４１０に接続されたデータベース４１１の着信拒否リストに自動で登録する（Ｓ５０７）。その後に着信履歴に着信拒否リストに登録したことも含めて記録する。Ｓ５０５にて呼出時間がｔ１以上のとき、また、Ｓ５０６にて電話帳リストに既登録の番号である場合は通常処理を行い着信履歴に登録して（Ｓ５０９）処理を終了する。この場合第１の実施の形態に加えて、着信拒否リストを共有できるので、他者にかかってきた迷惑電話の番号に対しても着信拒否を行うことが可能となる。
【００２９】
次に、データベース４１１に登録した着信拒否電話番号を削除する場合の動作を説明する。ユーザが自携帯電話端末で電話番号登録操作を行うと、データベース側のデータを削除したいときにメニュー表示（図示せず）からそれを選択し、これに基づき携帯電話端末はサーバ４１０を起動する。サーバ４１０の中央制御部（図示せず）は、携帯電話端末から送信される着信拒否削除のための識別情報および電話番号を受信し、着信拒否リストからの番号削除であることを認識し、当該の電話番号が存在した場合には、この受信した電話番号を着信拒否リストから削除する。したがって、ユーザは自身の携帯電話端末で電話番号帳に所望の番号登録を行うことにより、同時にセンター側、つまりデータベース４１１の着信拒否リストから登録済み当該電話番号を自動削除することができる。
【図面の簡単な説明】
【００３０】
【図１】（ａ）は本発明の第１の実施の形態における携帯電話端末の構成を示すブロック図である。（ｂ）は（ａ）における中央制御部の本発明に係わる部分を示すブロック図である。
【図２】本発明の携帯電話端末における着信拒否動作の流れを示すフローチャートである。
【図３】本発明の携帯電話端末における着信拒否番号削除動作の流れを示すフローチャートである。
【図４】本発明の第２の実施の形態の構成を説明するための図である。
【図５】本発明の第２の実施の形態における着信拒否動作の流れを示すフローチャートである。
【図６】従来の着信拒否関連動作の流れを示すフローチャートである。
【符号の説明】
【００３１】
１    アンテナ
２    送受信部
３    中央制御部
４    入力部
５    マイク
６    スピーカ
７    ＲＡＭ
８    ＲＯＭ
９    ＬＣＤドライバ
１０    ＬＣＤ
１１    タイマ
３１    電話帳登録部
３２    着信拒否リスト比較照合部
３３    着信拒否リスト削除部
３４    着信検出部
３５    発信者番号識別部
３６    呼出時間判定部
３７    着信拒否リスト登録部
３８    着信履歴登録部
４０１，４０５    携帯電話端末
４０２，４０３，４０６    基地局
４０４，４０８    交換制御部
４０７    固定電話端末
４０９    公衆回線網
４１０    サーバ
４１１    データベース
【図１】
2005057517.tif 000003
【図２】
2005057517.tif 000004
【図３】
2005057517.tif 000005
【図４】
2005057517.tif 000006
【図５】
2005057517.tif 000007
【図６】
2005057517.tif 000008